(57)【要約】【課題】インターネット上の配信データを映像信号に変換してテレビに出力する映像表示装置であって、小型で持ち運んでも不便でない映像表示装置を提供する。【解決手段】セットトップボックス３０に、無線接続のためのアクセスパラメータＤ６が記録された記録部３８を備えておく。携帯端末１０で遠隔操作部２０を起動させ、読取部１１で記録部３８のアクセスパラメータＤ６を読み取る。この読み取ったアクセスパラメータＤ６を記憶部１２に記憶させておき、当該アクセスパラメータＤ６に基づき無線接続を確立する。この無線接続下で携帯端末から配信データＤ４のアドレスをセットトップボックス３０に送信し、セットトップボックス３０は其のアドレスから配信データＤ４を受信して映像信号Ｄ５に変換し、テレビ４０に出力する。【選択図】図２
2014011522.tif 000002
【特許請求の範囲】
【請求項１】
テレビに接続された映像表示制御部と、ユーザ所有の携帯端末で機能し該映像表示制御部を遠隔操作する遠隔操作部とを備える映像表示装置であって、
前記映像表示制御部は、
無線接続のためのアクセスパラメータが記録された記録手段と、
前記アクセスパラメータに基づいた前記携帯端末側から無線接続の要求に応答する接続応答手段と、
前記接続応答手段により確立された無線接続下で、前記携帯端末から再生制御信号を受信する第１の通信手段と、
前記再生制御信号に含まれる配信データのアドレスに基づいて、ネットワークから配信データをダウンロードする第２の通信手段と、
前記第２の通信手段が受信した配信データを映像信号に変換する変換手段と、
前記映像信号を前記テレビに出力する出力端子と、
を備え、
前記遠隔操作部は、
前記携帯端末を制御することで、ネットワークから配信データのリストを受信させる第１の通信制御手段と、
前記携帯端末を制御することで、配信データのリストをＧＵＩ画面に表示させるとともに、当該リストに基づき一の配信データの選択を受け付けるＧＵＩ制御部と、
前記携帯端末を制御することで、前記映像表示制御部の前記記録手段から前記アクセスパラメータを読み取らせる読取制御手段と、
前記携帯端末を制御することで、前記読取制御手段が読み取らせたアクセスパラメータに基づいて前記映像表示制御部に対して無線接続を要求する接続要求手段と、
前記携帯端末を制御することで、前記接続要求手段により確立された無線接続下で、前記ＧＵＩ画面で選択された配信データのアドレスを含んだ再生制御信号を前記映像表示制御部へ送信させる第２の通信制御手段と、
を備えること、
を特徴とする映像表示装置。
【請求項２】
テレビに接続された映像表示制御部と、ユーザ所有の携帯端末で機能し該映像表示制御部を遠隔操作する遠隔操作部とを備え、無線接続のためのアクセスパラメータを前記映像表示制御部の個体識別情報に対応づけて記憶したサーバにアクセス可能な映像表示装置であって、
前記映像表示制御部は、
当該映像表示制御部の個体識別情報が記録された記録手段と、
前記固体識別情報に対応づけられたアクセスパラメータに基づいた前記携帯端末側からの無線接続の要求に応答する接続応答手段と、
前記接続応答手段によって確立された無線接続下で、前記携帯端末から再生制御信号を受信する第１の通信手段と、
前記再生制御信号に含まれる配信データのアドレスに基づいて、ネットワークから配信データをダウンロードする第２の通信手段と、
前記第２の通信手段が受信した配信データを映像信号に変換する変換手段と、
前記映像信号を前記テレビに出力する出力端子と、
を備え、
前記遠隔操作部は、
前記携帯端末を制御することで、ネットワークから配信データのリストを受信させる第１の通信制御手段と、
前記携帯端末を制御することで、配信データのリストをＧＵＩ画面に表示させるとともに、当該リストに基づき一の配信データの選択を受け付けるＧＵＩ制御部と、
前記携帯端末を制御することで、前記映像表示制御部の前記記録手段から前記個体識別情報を読み取らせる読取制御手段と、
前記携帯端末を制御することで、前記個体識別情報に対応づけられた前記アクセスパラメータを前記サーバから受信させる第２の通信制御手段と、
前記携帯端末を制御することで、前記第２の通信制御手段により受信されたアクセスパラメータに基づいて前記映像表示制御部に対して無線接続を要求する接続要求手段と、
前記携帯端末を制御することで、前記接続要求手段により確立された無線接続下で、前記ＧＵＩ画面で選択された配信データのアドレスを含んだ再生制御信号を前記映像表示制御部へ送信させる第３の通信制御手段と、
を備えること、
を特徴とする映像表示装置。
【請求項３】
前記記録手段は、前記アクセスパラメータから生成された１次元又は２次元のバーコードであり、
前記読取制御手段は、前記携帯端末のカメラを制御して前記バーコードを読み取らせること、
を特徴とする請求項１又は２記載の映像表示装置。
【請求項４】
前記記録手段は、前記アクセスパラメータを記憶するＲＦＩＤタグであり、
前記読取制御手段は、前記携帯端末のＲＦＩＤリーダを制御して、前記アクセスパラメータを搬送した電波を前記ＲＦＩＤタグから受信させること、
を特徴とする請求項１又は２記載の映像表示装置。
【発明の詳細な説明】
【技術分野】
【０００１】
本発明は、インターネット上の配信データを映像信号に変換してテレビに出力する映像表示装置に関し、特に小型で持ち運び可能な映像表示装置に関する。
【背景技術】
【０００２】
インターネット上には映像が配信可能にアップロードされており、コンピュータやスマートフォンを利用して視聴可能となっている。近年、それら映像は、膨大な量となるとともに、その品質も向上し、ジャンルも多様化しているため、コンピュータの扱いに長けた者のみならず、誰もが其の視聴を希望している。
【０００３】
そこで、インターネット上の配信データをテレビ画面に映し出すことのできる所謂スマートＴＶが提案されている。コンピュータやスマートフォンは、操作が煩雑であり、小画面だからである。しかし、スマートＴＶは、普及途上にあり、どこにでも設置されているわけではない。例えば、旅行先で配信データをテレビで見たいと考えても、ホテルや旅館に設置されているテレビがインターネット配信に対応していない場合がある。
【０００４】
インターネット配信に対応していないテレビに対しては、インターネット接続機能と、配信データを映像信号に変換するＡＶデコーダとを搭載したセットトップボックスを、当該テレビに接続することで、セットトップボックスを介して視聴可能である（例えば、特許文献１参照）。
【０００５】
とはいっても、従来のセットトップボックスは、弁当箱サイズのものが多い。また、セットトップボックスを小型化することができたとしても、映像表示装置全体としては、セットトップボックスを操作するためのリモコンも必要である。従って、従来の映像表示装置は、とても持ち運びには向かなかった。
【０００６】
また、インターネット配信に対応していないテレビであっても、スマートフォンを当該テレビとＨＤＭＩ接続等によって有線接続し、スマートフォンで受信した配信データをテレビで視聴することができる。スマートフォンは絶えず携帯しているものだから持ち運びには困らない。しかし、スマートフォンを操作する操作者は、テレビからケーブルの長さ分しか離れることはできず、視聴自体が困難となってしまう。
【先行技術文献】
【特許文献】
【０００７】
【特許文献１】国際公開第２０１０／０２６７１７号パンフレット
【発明の概要】
【発明が解決しようとする課題】
【０００８】
本発明は、上記のような従来技術の問題点を解決するために提案されたもので、インターネット上の配信データを映像信号に変換してテレビに出力する映像表示装置であって、小型で持ち運んでも不便でない映像表示装置を提供することを目的とする。
【課題を解決するための手段】
【０００９】
本発明に係る第１の態様は、テレビに接続された映像表示制御部と、ユーザ所有の携帯端末で機能し該映像表示制御部を遠隔操作する遠隔操作部とを備える映像表示装置であって、前記映像表示制御部は、無線接続のためのアクセスパラメータが記録された記録手段と、前記アクセスパラメータに基づいた前記携帯端末側から無線接続の要求に応答する接続応答手段と、前記接続応答手段により確立された無線接続下で、前記携帯端末から再生制御信号を受信する第１の通信手段と、前記再生制御信号に含まれる配信データのアドレスに基づいて、ネットワークから配信データをダウンロードする第２の通信手段と、前記第２の通信手段が受信した配信データを映像信号に変換する変換手段と、前記映像信号を前記テレビに出力する出力端子と、を備え、前記遠隔操作部は、前記携帯端末を制御することで、ネットワークから配信データのリストを受信させる第１の通信制御手段と、前記携帯端末を制御することで、配信データのリストをＧＵＩ画面に表示させるとともに、当該リストに基づき一の配信データの選択を受け付けるＧＵＩ制御部と、前記携帯端末を制御することで、前記映像表示制御部の前記記録手段から前記アクセスパラメータを読み取らせる読取制御手段と、前記携帯端末を制御することで、前記読取制御手段が読み取らせたアクセスパラメータに基づいて前記映像表示制御部に対して無線接続を要求する接続要求手段と、前記携帯端末を制御することで、前記接続要求手段により確立された無線接続下で、前記ＧＵＩ画面で選択された配信データのアドレスを含んだ再生制御信号を前記映像表示制御部へ送信させる第２の通信制御手段と、を備えること、を特徴とする。
【００１０】
本発明に係る第２の態様は、テレビに接続された映像表示制御部と、ユーザ所有の携帯端末で機能し該映像表示制御部を遠隔操作する遠隔操作部とを備え、無線接続のためのアクセスパラメータを前記映像表示制御部の個体識別情報に対応づけて記憶したサーバにアクセス可能な映像表示装置であって、前記映像表示制御部は、当該映像表示制御部の個体識別情報が記録された記録手段と、前記固体識別情報に対応づけられたアクセスパラメータに基づいた前記携帯端末側からの無線接続の要求に応答する接続応答手段と、前記接続応答手段によって確立された無線接続下で、前記携帯端末から再生制御信号を受信する第１の通信手段と、前記再生制御信号に含まれる配信データのアドレスに基づいて、ネットワークから配信データをダウンロードする第２の通信手段と、前記第２の通信手段が受信した配信データを映像信号に変換する変換手段と、前記映像信号を前記テレビに出力する出力端子と、を備え、前記遠隔操作部は、前記携帯端末を制御することで、ネットワークから配信データのリストを受信させる第１の通信制御手段と、前記携帯端末を制御することで、配信データのリストをＧＵＩ画面に表示させるとともに、当該リストに基づき一の配信データの選択を受け付けるＧＵＩ制御部と、前記携帯端末を制御することで、前記映像表示制御部の前記記録手段から前記個体識別情報を読み取らせる読取制御手段と、前記携帯端末を制御することで、前記個体識別情報に対応づけられた前記アクセスパラメータを前記サーバから受信させる第２の通信制御手段と、前記携帯端末を制御することで、前記第２の通信制御手段により受信されたアクセスパラメータに基づいて前記映像表示制御部に対して無線接続を要求する接続要求手段と、前記携帯端末を制御することで、前記接続要求手段により確立された無線接続下で、前記ＧＵＩ画面で選択された配信データのアドレスを含んだ再生制御信号を前記映像表示制御部へ送信させる第３の通信制御手段と、を備えること、を特徴とする。
【００１１】
前記記録手段は、前記アクセスパラメータから生成された１次元又は２次元のバーコードであり、前記読取制御手段は、前記携帯端末のカメラを制御して前記バーコードを読み取らせるようにしてもよい。また、前記記録手段は、前記アクセスパラメータを記憶するＲＦＩＤタグであり、前記読取制御手段は、前記携帯端末のＲＦＩＤリーダを制御して、前記アクセスパラメータを搬送した電波を前記ＲＦＩＤタグから受信させるようにしてもよい。
【発明の効果】
【００１２】
本発明によれば、小型のセットトップボックスを持ち運ぶだけで、持ち運び先のテレビで配信データを視聴することができる。更に、携帯端末は、テレビやセットトップボックスと有線接続されていないので、操作者はテレビから十分に離れて当該配信データを視聴できる。
【図面の簡単な説明】
【００１３】
【図１】第１の実施形態に係る映像表示装置を含むシステム全体を示すブロック図である。
【図２】セットトップボックスと遠隔操作部を有する携帯端末の詳細構成を示すブロック図である。
【図３】初回の無線ＬＡＮ接続処理の動作を示すフローチャートである。
【図４】初回の無線ＬＡＮ接続処理時の映像表示装置の遷移過程を示す模式図である。
【図５】バーコードでアクセスパラメータを保持した映像表示装置を示す模式図である。
【図６】映像出力処理の動作を示すフローチャートである。
【図７】映像出力処理のＧＵＩ画面を示す模式図である。
【図８】映像出力処理における映像表示装置のデータ送受信を示す模式図である。
【図９】第２の実施形態に係る映像表示装置を含むシステム全体を示すブロック図である。
【図１０】第２の実施形態に係る映像表示装置のブロック図である。
【図１１】サーバが記憶するテーブルを示す模式図である。
【図１２】第２の実施形態に係る映像表示装置のアクセスパラメータＤ６の受渡処理の動作を示すフローチャートである。
【発明を実施するための形態】
【００１４】
以下、本発明に係る映像表示装置の実施形態について図面を参照しつつ詳細に説明する。
【００１５】
（第１の実施形態）
（システム全体構成）
図１は、本実施形態に係る映像表示装置を含むシステム全体を示すブロック図である。図１に示すように、映像表示装置は、ユーザが所有する携帯端末１０側で機能する遠隔操作部２０、及びテレビ４０にＨＤＭＩ接続されたセットトップボックス３０を備えている。携帯端末１０とセットトップボックス３０は、それぞれインターネット５０に接続される。携帯端末１０とセットトップボックス３０との間は、ＩＥＥＥ８０２．１１フレームフォーマット等の無線ＬＡＮフレームフォーマットに準拠して無線ＬＡＮ接続される。
【００１６】
携帯端末１０は、ＭＰＵ及びメモリを有するコンピュータを搭載し、ソフトウェアに従った機能が与えられる。すなわち、携帯端末１０は、例えば携帯電話とコンピュータとを兼ね備えたスマートフォンである。この携帯端末１０には、オペレーションシステムと遠隔操作アプリ２０ａがインストールされている。遠隔操作部２０は、遠隔操作アプリ２０ａを携帯端末１０で起動することで実現される。
【００１７】
遠隔操作部２０は、インターネット５０から配信データリストＤ１を受信し、ユーザによって配信データリストＤ１から一の配信データＤ４が選択されると、その配信データＤ４のアドレスと再生コマンドを含んだ制御信号Ｄ２をセットトップボックス３０に送信する。要するに、この映像表示装置において、携帯端末１０はセットトップボックス３０に対するリモコンとして用いられる。配信データリストＤ１は、インターネット５０からダウンロード可能な配信データＤ４の一覧である。
【００１８】
セットトップボックス３０は、テレビ４０に映像を表示させる映像表示制御部であり、持ち運び可能に手の平サイズに小型化されている。このセットトップボックス３０は、携帯端末１０から送信された制御信号Ｄ２を受信し、配信データＤ４のアドレスが付帯した要求信号Ｄ３をインターネット５０に向けて送信する。インターネット５０側から要求信号Ｄ３への応答として配信データＤ４を受信すると、その配信データＤ４を映像信号Ｄ５に変換してテレビ４０に出力する。配信データＤ４は、生データ又はＭＰＥＧ等の圧縮方式により圧縮された映像データである。
【００１９】
（セットトップボックス詳細構成）
図２は、このセットトップボックス３０と遠隔操作部２０を有する携帯端末１０の詳細構成を示すブロック図である。セットトップボックス３０は、無線通信インターフェース３１と通信制御部３２とＡＶデコーダ３６と出力端子３７と記録部３８とを備えている。
【００２０】
無線通信インターフェース３１は、アンテナ、変調処理回路、Ａ／Ｄ及びＤ／Ａ変換回路等をそれぞれ含み構成された無線ＬＡＮ親機３１ａと無線ＬＡＮ子機３１ｂとを備えている。無線ＬＡＮ親機３１ａは、携帯端末１０から制御信号Ｄ２を受信する。無線ＬＡＮ子機３１ｂは、無線アクセスポイント等を介してインターネット５０へ向けて要求信号Ｄ３を送信し、インターネット５０から配信データＤ４を受信する。
【００２１】
通信制御部３２は、プロセッサを含み構成され、無線通信インターフェース３１を制御する。この通信制御部３２は、無線ＬＡＮ親機３１ａを制御する接続応答部３５及び制御信号受信部３３と、無線ＬＡＮ子機３１ａを制御する配信データ受信部３４とを備えている。
【００２２】
接続応答部３５は、プロセッサとメモリを含み構成され、携帯端末１０がブロードキャストにより送信したＳＳＩＤ（サービスセット識別子）に対する応答処理、携帯端末１０との間でＷＥＰやＷＰＡ等の暗号キーを用いた認証処理、及びアソシエーション処理を行う。セキュリティ規格は各種の規格を用いることができ、認証処理はオープン認証、シェアードキー認証、ＩＥＥＥ８０２．１ｘ認証、ＰＳＫ認証等の各種の方式を用いることができる。
【００２３】
この接続応答部３５は、アクセスポイントとしてのアクセスパラメータＤ６を予め記憶している。アクセスパラメータＤ６は、セットトップボックス３０を親機としてデータを送受信する際に用いられるＳＳＩＤと暗号キーであり、暗号キーは、ＷＥＰやＷＰＡ等のセキュリティ規格に準拠したものである。
【００２４】
制御信号受信部３３は、ＷＥＰやＷＰＡ等の暗号キーを用いて生成された制御信号Ｄ２の受信処理、及び暗号化された制御信号Ｄ２に含まれる制御コマンドの平文化処理を行う。制御コマンドには、映像を再生させる再生制御コマンド、映像を停止させる停止制御コマンド、映像を早送りする早送り制御コマンド、映像を逆戻しする逆戻し制御コマンド等がある。再生制御コマンドには、配信データＤ４のアドレスが付帯している。
【００２５】
配信データ受信部３４は、インターネット５０の無線アクセスポイントに対してブロードキャストによりＳＳＩＤを送信する接続要求処理、当該無線アクセスポイントとの間での認証処理とアソシエーション処理、ＷＥＰやＷＰＡ等の暗号キーを用いた要求信号Ｄ３の送信処理、及びインターネット５０からの配信データＤ４の受信処理を行う。要求信号Ｄ３には、再生制御コマンドに付帯していたアドレスを付帯させる。
【００２６】
ＡＶデコーダ３６は、プロセッサを含み構成され、受信した配信データＤ４を映像信号Ｄ５に変換する。出力端子３７は、ＨＤＭＩ端子やＤ端子等のテレビ４０とのインターフェースであり、接続されたテレビ４０に映像信号Ｄ５を伝送する。
【００２７】
記録部３８は、携帯端末１０と無線通信を行うためのアクセスパラメータＤ６が記録されている。記録部３８と接続応答部３５が有するアクセスパラメータＤ６は同一内容である。この記録部３８は、例えば、ＲＦＩＤタグやバーコードであり、セットトップボックス３０の筐体表面に貼着されている。
【００２８】
ＲＦＩＤタグは、電波を送受信するとともにアクセスパラメータＤ６を記憶したメモリと、アクセスパラメータＤ６を搬送波に載せて電波送信するとともに誘導起電力を発生するループコイルアンテナとを備えている。バーコードは、１次元又は２次元のバーコードであり、アクセスパラメータＤ６から生成され、シール等に印刷される。
【００２９】
（携帯端末詳細構成）
図２に示すように、携帯端末１０は、通信インターフェース１４と表示部１３と遠隔操作部２０と読取部１１と記憶部１２とを備えている。
【００３０】
読取部１１は、記録部３８に対応して設けられ、記録部３８からアクセスパラメータＤ６を読み取る。記録部３８がＲＦＩＤタグの場合、読取部１１は、ＲＦＩＤリーダであり、記録部３８がバーコードの場合、読取部１１は、カメラである。
【００３１】
記憶部１２は、不揮発性メモリで構成され、携帯端末１０のＭＰＵとバスを介して接続されており、読取部１１が読み取ったアクセスパラメータＤ６を記憶している。
【００３２】
通信インターフェース１４は、アンテナ、変調処理回路、Ａ／Ｄ及びＤ／Ａ変換回路等をそれぞれ含み構成された携帯電話データ通信インターフェース１４ｂと無線ＬＡＮインターフェース１４ａとを備えている。携帯電話データ通信インターフェース１４ｂは、携帯電話通信網を介して、インターネット５０から配信データリストＤ１を受信する。無線ＬＡＮインターフェース１４ａは、記憶部１２に記憶されたアクセスパラメータＤ６を用いてセットトップボックス３０に対して制御信号Ｄ２を送信する。
【００３３】
表示部１３は、液晶ディスプレイや有機ＥＬディスプレイ等の映像信号を視覚化して表示する装置であり、タッチパネルを備え、配信データリストＤ１をレイアウトしたＧＵＩ画面を表示する。ＧＵＩ画面は、テレビ４０に映像を出力するためのマンマシンインターフェースであり、タッチパネルを用いて配信データリストＤ１から一の配信データＤ４を選択することができる。
【００３４】
遠隔操作部２０は、プロセッサを含み構成され、遠隔操作アプリ２０ａに含まれるコードを適宜実行することにより、読取制御部２１とＧＵＩ制御部２２とリスト受信部２３と制御信号送信部２４と接続要求部２５とを備えている。
【００３５】
読取制御部２１は、読取部１１を起動させ、記録部３８からアクセスパラメータＤ６を読み取らせ、記憶部１２に記憶させる。
【００３６】
接続要求部２５は、無線ＬＡＮインターフェース１４ａを制御する通信制御手段であり、記憶部１２に記憶されているＳＳＩＤをブロードキャストする接続要求処理、セットトップボックス３０との間での認証処理とアソシエーション処理とを行う。
【００３７】
ＧＵＩ制御部２２は、表示部１３にＧＵＩ画面を表示させ、当該ＧＵＩ画面に対するユーザの操作に従って他の制御部を駆動させる主制御部である。すなわち、このＧＵＩ制御部２２は、ＧＵＩ画面のユーザによる操作に応答して、配信データリストＤ１の受信指示、配信データリストＤ１のＧＵＩ画面へのレイアウト処理、制御信号Ｄ２の生成指示、及び制御信号Ｄ２の送信指示を行う。
【００３８】
制御信号Ｄ２の生成指示では、ＧＵＩ制御部２２は、制御信号送信部２４に対して、制御コマンドを送出する。制御コマンドは、再生制御コマンド、停止制御コマンド、早送り制御コマンド、又は逆戻し制御コマンド等である。再生制御コマンドには、ＧＵＩ画面が操作されることによって選択された一の配信データＤ４のアドレスを付帯させる。
【００３９】
リスト受信部２３は、携帯電話データ通信インターフェース１４ｂを制御する通信制御手段であり、インターネット５０から配信データリストＤ１を受信する。
【００４０】
制御信号送信部２４は、無線ＬＡＮインターフェース１４ａを制御する通信制御手段であり、記憶部１２に記憶された暗号キーで制御コマンドを暗号化することで制御信号Ｄ２を生成する処理、及び当該制御信号Ｄ２をセットトップボックス３０に送信する処理を行う。
【００４１】
（動作）
このような映像表示装置の処理を説明する。映像表示装置では、主に、携帯端末１０とセットトップボックス３０の無線ＬＡＮ接続処理と、インターネット５０から受信した配信データＤ４を変換した映像信号Ｄ５のテレビ４０への映像出力処理が行われる。
【００４２】
（無線ＬＡＮ接続処理）
図３は、初回の無線ＬＡＮ接続処理の動作を示すフローチャートである。初回の無線ＬＡＮ接続処理は、アクセスパラメータＤ６の受渡処理と無線ＬＡＮ接続処理とに大別される。
【００４３】
まず、アクセスパラメータＤ６の受渡処理においては、図４に示すように、ユーザは、携帯端末１０を手にとって読取部１１をセットトップボックス３０の記録部３８にかざす（ステップＳ０１）。
【００４４】
図４は、記録部３８がＲＦＩＤタグで読取部１１がＲＦＩＤリーダの場合を示している。図４の（ａ）に示すように、読取部１１が記録部３８にかざされると、記録部３８には誘導起電力が発生し、記録部３８を当該起電力によって近距離無線通信用の電波を出力する（ステップＳ０２）。
【００４５】
読取部１１が記録部３８から電波を受信すると、携帯端末１０のオペレーションシステムを実行しているＭＰＵは、表示部１３に近距離無線通信技術を使用するアプリの一覧を表示させる（ステップＳ０３）。
【００４６】
図４の（ａ）に示すように、近距離無線通信技術を使用とするアプリの一覧には、遠隔操作アプリ２０ａが含まれている。遠隔操作アプリ２０ａを示すエリアをユーザがタッチすることで、遠隔操作アプリ２０ａが選択されると、図４の（ｂ）に示すように、遠隔操作部２０が機能する（ステップＳ０４）。
【００４７】
図４の（ｂ）では、遠隔操作部２０の読取制御部２１は、読取部１１を制御してアクセスパラメータＤ６を要求する信号を、セットトップボックス３０の記録部３８に送信させる（ステップＳ０５）。記録部３８は、読取部１１からの要求信号を受けて、ＳＳＩＤと暗号キーとからなるアクセスパラメータＤ６を電波に載せて送信する（ステップＳ０６）。
【００４８】
読取制御部２１は、読取部１１が記録部３８からアクセスパラメータＤ６を受信すると、このアクセスパラメータＤ６を記憶部１２に記憶させておく（ステップＳ０７）。
【００４９】
図４の（ｃ）に示すように、アクセスパラメータＤ６の受渡処理が終了すると、図４の（ｄ）に示すように、無線ＬＡＮ接続処理に移る。まず、接続要求部２５は、無線ＬＡＮインターフェース１４ａによって、記憶部１２からＳＳＩＤを読み出してブロードキャスト送信することで接続要求を行う（ステップＳ０８）。
【００５０】
セットトップボックス３０は、無線ＬＡＮ親機３１ａでＳＳＩＤを受信する。接続応答部３５は、受信したＳＳＩＤを受信と予め記憶しているＳＳＩＤとの一致を判断する（ステップＳ０９）。ＳＳＩＤが一致すると、接続応答部３５は、無線ＬＡＮ親機３１ａによって、接続要求に対する応答を送信させる（ステップＳ１０）。
【００５１】
接続応答を受け取ると、接続要求部２５は、認証依頼を無線ＬＡＮインターフェース１４ａに送信させる（ステップＳ１１）。セットトップボックス３０側で認証依頼を受信すると、接続応答部３５は、乱数を生成して携帯端末１０側に送信する（ステップＳ１２）。
【００５２】
携帯端末１０側で乱数を受信すると、接続要求部２５は、記憶部１２から暗号キーを読み出して乱数を当該暗号キーで暗号化してセットトップボックス３０側に送信する（ステップＳ１３）。暗号化された乱数をセットトップボックス３０側で受信すると、接続応答部３５は、予め記憶している暗号キーで復号し、復号した乱数と送信した乱数との一致を判断する（ステップＳ１４）。乱数が一致すると、接続応答部３５は、認証成功の応答を行う（ステップＳ１５）。予め記憶している暗号キーと記憶部３８に記憶されている暗号キーとは同一である。
【００５３】
認証成功の応答を受け取ると、携帯端末１０側の接続要求部２５は、アソシエーション要求を行い（ステップＳ１６）、セットトップボックス３０側の接続応答部３５は、アソシエーション応答を返す（ステップＳ１７）。
【００５４】
以上により、図４の（ｅ）に示すように、セットトップボックス３０と携帯端末１０との無線ＬＡＮ接続は完了する。２回目以降の無線ＬＡＮ接続においては、既にアクセスパラメータＤ６の受渡処理は終了しているので、遠隔操作アプリ２０ａを起動することで、ステップＳ０８から処理を開始する。すなわち、遠隔操作アプリ２０ａを起動すると、記憶部１２にアクセスパラメータＤ６が記憶されているか確認し、記憶されている場合には、ステップＳ０８以降の処理を行う。
【００５５】
読取部１１がバーコードである場合は、読取部１１を記録部３８にかざす前に遠隔操作アプリ２０ａを起動する。遠隔操作アプリ２０ａが起動すると、接続要求部２５が記憶部１２にアクセスパラメータＤ６が記憶されているか確認する。アクセスパラメータＤ６が記憶されていなければ、読取制御部２１は、図５に示すように、カメラである読取部１１を起動し、バーコードを読み取らせる。この結果、アクセスパラメータＤ６は記憶部１２に記憶され、ステップＳ０８以降の処理を行う。
【００５６】
（映像出力処理）
図６は、映像出力処理の動作を示すフローチャートである。この映像出力処理は、無線ＬＡＮ接続処理により確立した無線接続環境下で行われる。
【００５７】
まず、携帯端末１０において、リスト受信部２３は、携帯電話データ通信インターフェース１４ｂを介してインターネット５０に設置されている映像配信サイトにアクセスする（ステップＳ２１）。映像配信サイトへのアクセスにより、リスト受信部２３は、配信データリストＤ１を受信する（ステップＳ２２）。配信データリストＤ１は、図７に示すように、ＧＵＩ制御部２２によりＧＵＩ画面上にレイアウトされて表示部１３に表示される（ステップＳ２３）。
【００５８】
ユーザの操作により映像配信サイトが変更される場合には、その変更された映像配信サイトにアクセスし（ステップＳ２４）、別の配信データリストＤ１を受信し（ステップＳ２５）、その配信データリストＤ１を表示部１３に表示する。
【００５９】
配信データリストＤ１を表示している状態で、ユーザが配信データリストＤ１から一の配信データＤ４を選択し、その配信データＤ４を携帯端末１０側で再生するボタンをタッチした場合には（ステップＳ２７）、携帯端末１０では、携帯電話データ通信インターフェース１４ｂを介して、選択された配信データＤ４を受信し（ステップＳ２８）、受信した配信データＤ４を携帯端末１０の表示部１３に表示させる。
【００６０】
また、図７に示すように、ユーザが配信データＤ４をテレビ４０で再生するボタンを押下した場合には（ステップＳ３０）、ＧＵＩ制御部２２は、再生制御コマンドを生成し、そのコマンドに配信データＤ４のアドレスを付帯させる（ステップＳ３１）。そして、制御信号送信部２４は、アドレスが付帯した再生制御コマンドを記憶部１２に記憶されている暗号キーで暗号化し、ＩＥＥＥ８０２．１１等の無線ＬＡＮフレームフォーマットに準拠したデータフレームに纏めることで、制御信号Ｄ２を生成する（ステップＳ３２）。制御信号送信部２４は、図８に示すように、無線ＬＡＮインターフェース１４ａを通じて制御信号Ｄ２をセットトップボックス３０側へ送信する（ステップＳ３３）。
【００６１】
セットトップボックス３０側において、無線ＬＡＮ親機３１ａが制御信号Ｄ２を受信すると、制御信号受信部３３は、制御信号Ｄ２を予め記憶している暗号キーで復号することで、再生制御コマンドを取り出す（ステップＳ３４）。
【００６２】
制御コマンドが再生制御コマンドである場合には、配信データ受信部３４は、再生制御コマンドに付帯しているアドレスを含めた要求信号Ｄ３を生成して、無線ＬＡＮ子機３１ｂを通じてインターネット５０に送出する（ステップＳ３５）。
【００６３】
インターネット５０上の要求信号Ｄ３に付帯したアドレスに対応するサーバに要求信号Ｄ３が到達すると、当該サーバは、要求信号Ｄ３に含まれるアドレスに対応する配信データＤ４をセットトップボックス３０に送信し、配信データ受信部３４は、図８に示すように、無線ＬＡＮ子機３１を通じて配信データＤ４を受信する（ステップＳ３６）。
【００６４】
受信した配信データＤ４は、ＡＶデコーダ３６に入力され、ＡＶデコーダ３６で映像信号Ｄ５に変換され（ステップＳ３７）、図８に示すように、出力端子３７を介してテレビ４０で表示される（ステップＳ３８）。
【００６５】
（効果）
以上のように、本実施形態に係る映像表示装置は、ユーザが所有する携帯端末１０をリモコンとして用いてセットトップボックス３０を操作するようにした。しかも、携帯端末１０をリモコンとして用いるためには、セットトップボックス３０をアクセスポイントとして無線ＬＡＮ接続する必要があるが、そのためのアクセスパラメータＤ６を携帯端末１０で読み取り可能にセットトップボックス３０側で保持させるようにした。
【００６６】
そのため、ユーザは、持ち運び前に携帯端末１０に無線ＬＡＮ接続を設定しておく必要がなく、当該設定を忘れてしまって、持ち運び先で配信データＤ４をテレビ４０で視聴できない事態もないし、無線ＬＡＮ接続のための設定を予めメモして持ち運び先に持って行く必要もない。
【００６７】
従って、ユーザは、小型のセットトップボックス３０を持ち運ぶだけで、持ち運び先のテレビ４０で配信データＤ４を視聴することができる。更に、携帯端末１０は、テレビ４０やセットトップボックス３０と有線接続されていないので、操作者はテレビ４０から十分に離れて当該配信データＤ４を視聴できる。
【００６８】
尚、記録部３８をバーコードとし、セットトップボックス３０の表面にシールで貼着する例を挙げたが、バーコードをテレビ４０に表示させるようにしてもよい。
【００６９】
（第２の実施形態）
（構成）
次に、第２の実施形態に係る映像表示装置について図面を参照して詳細に説明する。尚、第１の実施形態と同一の構成又は機能については同一符号を付して詳細な説明を省略する。
【００７０】
図９は、第２の実施形態に係る映像表示装置を含むシステム全体を示すブロック図である。また、図１０は、第２の実施形態に係る映像表示装置のブロック図である。図９及び１０に示すように、この映像表示装置では、初回の無線ＬＡＮ接続設定においてサーバ６０を途中に挟んでアクセスパラメータＤ６の受け渡しを行う。
【００７１】
すなわち、セットトップボックス３０の記録部３８には、セットトップボックス３０に固有な個体識別情報Ｄ７が記憶されている。個体識別情報Ｄ７は、例えばＭＡＣアドレスである。読取部１１は、この個体識別情報Ｄ７を読み取る。接続要求部２５は、サーバ６０に個体識別情報Ｄ７を送信し、サーバ６０からアクセスパラメータＤ６を受信する。
【００７２】
図１１は、サーバ６０が記憶するテーブルを示す模式図である。図１１に示すように、サーバ６０には、出荷された各セットトップボックス３０の個体識別情報Ｄ７とアクセスパラメータＤ６とを対応づけて記憶されている。このアクセスパラメータＤ６は工場出荷時の内容である。サーバ６０は、個体識別情報Ｄ７を受信すると、この個体識別情報Ｄ７に対応づけられているアクセスパラメータＤ６を送信元へ返す。
【００７３】
（作用）
図１２は、この映像表示装置のアクセスパラメータＤ６の受渡処理の動作を示すフローチャートである。まず、ユーザは、携帯端末１０を手にとって読取部１１をセットトップボックス３０の記録部３８にかざす（ステップＳ４１）。
【００７４】
読取部１１が記録部３８にかざされると、記録部３８には誘導起電力が発生し、記録部３８を当該起電力によって近距離無線通信用の電波を出力する（ステップＳ４２）。読取部１１が記録部３８から電波を受信すると、携帯端末１０のオペレーションシステムを実行しているＭＰＵは、表示部１３に近距離無線通信技術を使用するアプリの一覧を表示させる（ステップＳ４３）。
【００７５】
近距離無線通信技術を使用とするアプリの一覧には、遠隔操作アプリ２０ａが含まれている。遠隔操作アプリ２０ａを示すエリアをユーザがタッチすることで、遠隔操作アプリ２０ａが選択されると、遠隔操作部２０が機能する（ステップＳ４４）。
【００７６】
遠隔操作部２０の読取制御部２１は、読取部１１を制御して個体識別情報Ｄ７を要求する信号を、セットトップボックス３０の記録部３８に送信させる（ステップＳ４５）。記録部３８は、読取部１１からの要求信号を受けて、個体識別情報Ｄ７を電波に載せて送信する（ステップＳ４６）。
【００７７】
接続要求部２５は、個体識別情報Ｄ７を受信すると、この個体識別情報Ｄ７をサーバ６０へ送信する（ステップＳ４７）。サーバ６０では、受信した個体識別情報Ｄ７に対応づけられているアクセスパラメータＤ６が検索されて、携帯端末１０側へ其のアクセスパラメータＤ６が送信される。接続要求部２５は、サーバ６０からアクセスパラメータＤ６を受信すると（ステップＳ４８）、このアクセスパラメータＤ６を記憶部１２に記憶させておく（ステップＳ４９）。
【００７８】
以降は、第１の実施形態と同様にセットトップボックス３０と無線接続を確立するためにステップＳ０８以降の処理を行う。
【００７９】
（効果）
以上のように、第２の実施形態に係る映像表示装置では、記録部３８に個体識別情報Ｄ７を記憶させておき、この個体識別情報Ｄ７を用いてサーバ６０を介してアクセスパラメータＤ６を受け渡すようにした。これにより、アクセスパラメータＤ６がセットトップボックス３０の表面に露出していないため、セキュリティが高まる。
【００８０】
以上のように、本発明のいくつかの実施形態を説明したが、これらの実施形態は、例として提示したものであり、発明の範囲を限定することを意図していない。これら新規な実施形態は、そのほかの様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００８１】
１０  携帯端末
１１  読取部
１２  記憶部
１３  表示部
１４  通信インターフェース
１４ａ  無線ＬＡＮインターフェース
１４ｂ  携帯電話データ通信インターフェース
２０  遠隔操作部
２０ａ  遠隔操作アプリ
２１  読取制御部
２２  ＧＵＩ制御部
２３  リスト受信部
２４  制御信号送信部
２５  接続要求部
３０  セットトップボックス
３１  無線通信インターフェース
３１ａ  無線ＬＡＮ親機
３１ｂ  無線ＬＡＮ子機
３２  通信制御部
３３  制御信号受信部
３４  配信データ受信部
３５  接続応答部
３６  ＡＶデコーダ
３７  出力端子
３８  記録部
４０  テレビ
５０  インターネット
６０  サーバ
Ｄ１  配信データリスト
Ｄ２  制御信号
Ｄ３  要求信号
Ｄ４  配信データ
Ｄ５  映像信号
Ｄ６  アクセスパラメータ
Ｄ７  個体識別情報
【図１】
2014011522.tif 000003
【図２】
2014011522.tif 000004
【図３】
2014011522.tif 000005
【図４】
2014011522.tif 000006
【図５】
2014011522.tif 000007
【図６】
2014011522.tif 000008
【図７】
2014011522.tif 000009
【図８】
2014011522.tif 000010
【図９】
2014011522.tif 000011
【図１０】
2014011522.tif 000012
【図１１】
2014011522.tif 000013
【図１２】
2014011522.tif 000014